(57)【要約】【課題】  新規な特殊効果を実現するビデオカメラを提供する。【解決手段】  赤・緑・青単色モードの「単色  赤」が選択されると、カメラＣＴＬマイコン１２はゲインアンプ４５Ｒを所定のゲインに、ゲインアンプ４５Ｇ、４５Ｂのゲインを０に設定し、これにより白黒と赤のみの画像がテープＴ、外部、ビューファインダ／モニタ部１５に印加される。「単色  緑」が選択されると、カメラＣＴＬマイコンはゲインアンプ４５Ｇを所定のゲインに、ゲインアンプ４５Ｒ、４５Ｂのゲインを０に設定し、これにより白黒と緑のみの画像がテープ、外部、ビューファインダ／モニタ部に印加され、また、「単色  青」が選択されると、カメラＣＴＬマイコンはゲインアンプ４５Ｂを所定のゲインに、ゲインアンプ４５Ｒ、４５Ｇのゲインを０に設定し、これにより白黒と青のみの画像がテープ、外部、ビューファインダ／モニタ部に印加される。【選択図】  図１
2006245820.tif 000002
【特許請求の範囲】
【請求項１】
輝度信号とＲ信号のみを記録する記録モード、輝度信号とＧ信号のみを記録する記録モード及び輝度信号とＢ信号のみを記録する記録モードの１つをユーザが選択するためのモード選択手段と、
被写体を撮像して得られた信号から得られたＲ、Ｇ及びＢ信号のうち、前記モード選択手段により選択された記録モードの色の色信号を選択する色信号選択手段と、
前記被写体を撮像して得られた信号から得られた輝度信号と、前記色信号選択手段により選択された色信号とを足し合せた映像信号を記録媒体に記録する手段とを、
備えたビデオカメラ。
【発明の詳細な説明】
【技術分野】
【０００１】
本発明は、特殊効果を実現するビデオカメラに関する。
【背景技術】
【０００２】
従来、ビデオカメラが実現する特殊効果としては、セピアカラー、ネガ／ポジ反転が知られている。なお、セピアカラーを既存の映像信号処理回路を用いて実現する従来例としては、例えば特許文献１などに示されている技術がある。
【特許文献１】特開２００３−８７８１４号公報（要約書）
【発明の開示】
【発明が解決しようとする課題】
【０００３】
しかしながら、セピアカラー、ネガ／ポジ反転は、一般ユーザにとってありふれた特殊効果であるので、新規な特殊効果を有するビデオカメラが望まれる。また、新規な特殊効果を実現するために新たな映像信号処理回路を追加するとコストアップとなるので、既存の映像信号処理回路を用いて実現することが望ましい。
【０００４】
本発明は上記の問題点に鑑み、新規な特殊効果を実現することができるビデオカメラを提供することを目的とする。
本発明はまた、上記の問題点に鑑み、既存の映像信号処理回路を用いて新規な特殊効果を実現することができるビデオカメラを提供することを目的とする。
【課題を解決するための手段】
【０００５】
本発明は上記目的を達成するために、
輝度信号とＲ信号のみを記録する記録モード、輝度信号とＧ信号のみを記録する記録モード及び輝度信号とＢ信号のみを記録する記録モードの１つをユーザが選択するためのモード選択手段と、
被写体を撮像して得られた信号から得られたＲ、Ｇ及びＢ信号のうち、前記モード選択手段により選択された記録モードの色の色信号を選択する色信号選択手段と、
前記被写体を撮像して得られた信号から得られた輝度信号と、前記色信号選択手段により選択された色信号とを足し合せた映像信号を記録媒体に記録する手段とを、
備えたことを特徴とする。
【発明の効果】
【０００６】
本発明によれば、白黒と赤（輝度信号とＲ信号）のみ、白黒と緑（輝度信号とＧ信号）のみ及び白黒と青（輝度信号とＢ信号）のみの記録を行うことができ、新規な特殊効果を実現することができる。
また、既存の映像信号処理回路を用いて新規な特殊効果を実現することができる。
【発明を実施するための最良の形態】
【０００７】
以下、図面を参照して本発明の実施の形態について説明する。図１は本発明に係るビデオカメラの一実施の形態を示すブロック図、図２は図１のビデオカメラの記録モード設定画面を示す説明図である。
【０００８】
図１において、レンズ光学系１を介してＣＣＤ２に入射した光はＣＣＤ２により電気信号に変換され、この電気信号はＡ／Ｄ変換部３によりデジタル信号に変換されてカメラ信号処理ＬＳＩ４に印加される。カメラ信号処理ＬＳＩ４は既存の回路であってＤＳＰにより構成され、Ｙ（輝度）信号処理部４１、ＬＰＦ４２、プロセス・マトリクスエンコーダ４３、色分離部４４、ゲインアンプ４５Ｒ、４５Ｇ、４５Ｂを有する。カメラ信号処理ＬＳＩ４では、Ａ／Ｄ変換部３からの入力デジタル信号に応答してＹ信号処理部４１によりＹ信号が得られ、また、入力デジタル信号は色分離部４４によりＲ、Ｇ、Ｂの色信号に分離される。
【０００９】
Ｙ信号処理部４１により得られたＹ信号はＬＰＦ４２を経由してプロセス・マトリクスエンコーダ４３に印加され、色分離部４４により分離されたＲ、Ｇ、Ｂの色信号はそれぞれゲインアンプ４５Ｒ、４５Ｇ、４５Ｂを経由してプロセス・マトリクスエンコーダ４３に印加される。プロセス・マトリクスエンコーダ４３では、テープＴに記録する場合にはＹ信号、Ｂ信号、Ｒ信号から色差信号（Ｂ−Ｙ、Ｒ−Ｙ）が生成され、色差信号（Ｂ−Ｙ、Ｒ−Ｙ）がＤＶ（デジタルビデオ）信号処理ＤＳＰ５、増幅部（Pre/REC AMP）６、ヘッド７を経由してテープＴに記録される。また、ＴＶなどの外部に出力する場合には、Ｒ、Ｇ、Ｂ信号からＣ信号が生成されてＹ信号とＣ信号がＤ／Ａ変換部９によりアナログ信号に変換され、アナログのＹ、Ｃ信号が混合部（Y/C MIX）１０により混合されてビデオ出力端子１１を経由して外部に出力される。
【００１０】
カメラＣＴＬ（コントロール）マイコン１２はこのビデオカメラ全体を制御し、デッキＣＴＬマイコン１３はテープＴに記録する際にカメラＣＴＬマイコン１２の制御に基づいて、ＤＶ信号処理ＤＳＰ５、増幅部６を制御する。操作部１４はユーザがこのビデオカメラを操作するために必要な各種操作キーなどを有し、また、図２に示すようにビューファインダ／モニタ部１５の表示画面から各種設定を行うことができる。ここで、図１では、ビューファインダ／モニタ部１５が示されていないが、撮像画像を表示する場合にはゲインアンプ４５Ｒ、４５Ｇ、４５Ｂの出力がビューファインダ／モニタ部１５に印加され、テープＴから再生した画像を表示する場合には、テープＴから再生された色差信号（Ｂ−Ｙ、Ｒ−Ｙ）がプロセス・マトリクスエンコーダ４３によりＲＧＢ信号に変換されてビューファインダ／モニタ部１５に印加され、また、図２に示すような設定画面を表示する場合には、カメラＣＴＬマイコン１２によりこの設定画面が生成されてビューファインダ／モニタ部１５に印加される。
【００１１】
図２（ａ）はメニュー画面を示し、このメニュー画面から赤・緑・青単色モードを選択して赤・緑・青単色モードの「切」、「単色  赤」、「単色  緑」、「単色  青」を選択することができる。図２（ｂ）はメニュー画面から赤・緑・青単色モードの「切」を選択する画面を示し、図２（ｃ）はメニュー画面から赤・緑・青単色モードの一例として「単色  赤」を選択する画面を示す。
【００１２】
図１において、赤・緑・青単色モードの「切」が選択されると、カメラＣＴＬマイコン１２はゲインアンプ４５Ｒ、４５Ｇ、４５Ｂをすべて所定のゲインに設定し、これによりカラー画像がテープＴ、外部、ビューファインダ／モニタ部１５に印加される。これに対し、「単色  赤」が選択されると、カメラＣＴＬマイコン１２はゲインアンプ４５Ｒを所定のゲインに設定し、ゲインアンプ４５Ｇ、４５Ｂのゲインを最小、すなわち０に設定し、これにより白黒と赤のみの画像がテープＴ、外部、ビューファインダ／モニタ部１５に印加される。同様に、「単色  緑」が選択されると、カメラＣＴＬマイコン１２はゲインアンプ４５Ｇを所定のゲインに設定し、ゲインアンプ４５Ｒ、４５Ｂのゲインを０に設定し、これにより白黒と緑のみの画像がテープＴ、外部、ビューファインダ／モニタ部１５に印加され、また、「単色  青」が選択されると、カメラＣＴＬマイコン１２はゲインアンプ４５Ｂを所定のゲインに設定し、ゲインアンプ４５Ｒ、４５Ｇのゲインを０に設定し、これにより白黒と青のみの画像がテープＴ、外部、ビューファインダ／モニタ部１５に印加される。
【図面の簡単な説明】
【００１３】
【図１】本発明に係るビデオカメラの一実施の形態を示すブロック図である。
【図２】図１のビデオカメラの記録モード設定画面を示す説明図である。
【符号の説明】
【００１４】
１２  カメラＣＴＬ（コントロール）マイコン
１４  操作部
１５  ビューファインダ／モニタ部
４５Ｒ、４５Ｇ、４５Ｂ  ゲインアンプ
Ｔ  テープ
【図１】
2006245820.tif 000003
【図２】
2006245820.tif 000004